(57)【要約】【課題】簡単な操作で再封することができ、その再封操作を繰り返して行っても当初と同じように何度でも封止することができる包装袋を提供する。【解決手段】内面にシーラント層を積層した一枚の矩形状の包装材を製袋して作成される包装袋Ｐであって、包装材における相対する辺が向かい合った状態でシールされることで上辺から下辺に跨がるとともに一方の側部に寄った突出片１が裏面側に形成され、突出片１が形成された状態で上辺に上辺シール部２が形成され下辺に下辺シール部３が形成されており、突出片１から他方の側部までの部分を本体部分Ｈ、突出片１から一方の側部までの部分を折返し部分Ｃとし、折返し部分Ｃに開口を形成した開封状態で、突出片１の根元を基点として折返し部分Ｃを突出片１と反対側に折り返すことで封止が可能である。【選択図】図１
2014031174.tif 000002
【特許請求の範囲】
【請求項１】
内面にシーラント層を積層した一枚の矩形状の包装材を製袋して作成される包装袋であって、包装材における相対する辺が向かい合った状態でシールされることで上辺から下辺に跨がるとともに一方の側部に寄った突出片が裏面側に形成され、突出片が形成された状態で上辺に上辺シール部が形成され下辺に下辺シール部が形成されており、突出片から他方の側部までの部分を本体部分、突出片から一方の側部までの部分を折返し部分とし、折返し部分に開口を形成した開封状態で、突出片の根元を基点として折返し部分を突出片と反対側に折り返すことで封止が可能であることを特徴とする包装袋。
【発明の詳細な説明】
【技術分野】
【０００１】
本発明は、固体や粉体や流動性のある内容物やお菓子などを収納するための包装袋の技術分野に属し、詳しくは、袋端部に開口を形成して開封した後に、内容物を一部残した状態で再封することができる包装袋に関するものである。
【背景技術】
【０００２】
従来より、内容物の一部をそのまま袋に残した状態で開封箇所を繰り返し封鎖できる包装袋として、ジッパー付き包装袋が多く用いられている。この包装袋は、上辺シール部より内側の部位に開口部を開閉するためのジッパー部を設けるとともに、このジッパー部より開口端側をヒートシールすることで構成されている。収納した内容物を取り出すには、ジッパー部とヒートシール部との間をノッチを取っ掛かりに手で引き裂いたり、はさみやナイフなどの切断具により切断してから、ジッパー部の噛み合いを外して開封する。そして、所定量の内容物を取り出した後は、ジッパー部を閉じることで再封する。
【０００３】
一方、ジッパーを用いないで再封可能な包装袋としては、袋外面に封止ラベルを貼っておくタイプの包装袋が知られている。このラベル付き包装袋では、開封した包装袋を再封するときに、封止ラベルを袋外面から剥がし、袋の開封個所を適当な回数折り曲げ、それを係止するように封止ラベルを貼り付けて再封するようになっている。
【先行技術文献】
【特許文献】
【０００４】
【特許文献１】実開平７−４４７２９号公報
【特許文献２】実開平６−６５２４１号公報
【特許文献３】特開２０００−３２６９９４号公報
【発明の概要】
【発明が解決しようとする課題】
【０００５】
上記したジッパー付き包装袋は、ジッパーを付けることによるコストアップの問題があり、内容物が例えば粉体の場合だと、ジッパーの嵌合部での粉噛みの影響により嵌合強度が低下するという問題がある。一方、ラベル付き包装袋は、何度も封止操作を繰り返すことにより封止ラベルの接着強度が低下するという問題がある。
【０００６】
また、再封時において、ジッパー付き包装袋の場合は、ジッパーを嵌め合わせる操作が必要であり、ラベル付き包装袋の場合は、袋の開封個所を適当な回数折り曲げてから封止ラベルを貼り付けるという操作が必要であり、いずれも再封のための操作がそれほど簡単ではないという問題点もある。
【０００７】
本発明は、上記のような従来の包装袋が有する問題点に鑑みてなされたものであり、その目的とするところは、簡単な操作で再封することができ、その再封操作を繰り返して行っても当初と同じように何度でも封止することができる包装袋を提供することにある。
【課題を解決するための手段】
【０００８】
上記の目的を達成するため、本発明に係る包装袋は、内面にシーラント層を積層した一枚の矩形状の包装材を製袋して作成される包装袋であって、包装材における相対する辺が向かい合った状態でシールされることで上辺から下辺に跨がるとともに一方の側部に寄った突出片が裏面側に形成され、突出片が形成された状態で上辺に上辺シール部が形成され下辺に下辺シール部が形成されており、突出片から他方の側部までの部分を本体部分、突出片から一方の側部までの部分を折返し部分とし、折返し部分に開口を形成した開封状態で、突出片の根元を基点として折返し部分を突出片と反対側に折り返すことで封止が可能であることを特徴とする。
【発明の効果】
【０００９】
本発明の包装袋は、折返し部分に開口を形成して開封し、そこから内容物を一部だけ取り出した後、突出片の根元を基点として折返し部分を突出片と反対側に折り返すと、その折り返した部分は突出片があることにより戻りが抑制され、閉じた状態が維持されるので、袋を折り返すという簡単な操作で再封することができる。しかも、ジッパー付き包装袋やラベル付き包装袋では、ジッパーの嵌合力や封止ラベルの粘着力が低下するので、再封操作を繰り返すと再封性が徐々に低下するが、本発明の包装袋の場合、袋を折り返すことにより再封するため、何度再封操作を繰り返しても再封性が低下しない。さらに、包装袋を製袋する工程で内容物を充填することができるため、内容物が充填された包装袋のリードタイムを短縮することができる。
【図面の簡単な説明】
【００１０】
【図１】本発明に係る包装袋の一例を示す正面図である。
【図２】図１に示す包装袋の背面図である。
【図３】図２のＡ−Ａ線での断面説明図である。
【図４】図１に示す包装袋の作成手順を示す説明図である。
【図５】図１に示す包装袋の使用方法を示す説明図である。
【図６】図１に示す包装袋を開封した状態で示す説明図である。
【図７】図１に示す包装袋を再封した状態で示す説明図である。
【図８】図１の包装袋の変形例を図３に対応して示す断面説明図である。
【図９】図１の包装袋の変形例を図３に対応して示す断面説明図である。
【図１０】図１に示す包装袋の寸法を説明するための参考図である。
【図１１】本発明に係る包装袋の変形例を示す背面図である。
【図１２】本発明に係る包装袋の変形例を示す背面図である。
【発明を実施するための形態】
【００１１】
次に、本発明の実施形態について図面を参照しながら詳細に説明する。
【００１２】
図１〜図３は本発明に係る包装袋の一例を示しており、図示の包装袋Ｐは、一枚の矩形状の包装材を製袋して作成されたもので、包装材における相対する辺が向かい合った状態でシールされることで上辺から下辺に跨がるとともに一方の側部に寄った突出片１が形成されており、突出辺１が形成された状態で上辺に上辺シール部２が形成され下辺に下辺シール部３が形成されている。なお、本発明に係る包装袋において、図３に示すように、正面視において見える側を表面４、背面視において見える側を裏面５とする。
【００１３】
この包装袋Ｐの自動充填機による製造手順は図４に示すようである。まず巻取ロール１０から包装材１１を引き出して、内容物を投入するための円筒状をした投入ガイド１２の周側面に包装材１１を巻回して円筒状とし、巻回した包装材１１の両端部を重ね合わせ、その重ね合わせ部をセンターシーラー１３によりヒートシールして突出片１を形成する。続いて、円筒状となった包装材１１の下端部をエンドアッドトップシーラー１４によりヒートシールすると同時に、このヒートシール部分から下方を分離することで包装袋の底部分を形成する。次いで、投入ガイド１２を通して包装袋内に内容物を投入した後、内容物が装填された状態で円筒状の包装材を下降させ、所定の位置でエンドアッドトップシーラー１４により内容物の装填された包装袋部分の上部を挟んで、ヒートシールすることにより密封された包装袋を形成する同時に、このヒートシール部分から下方を分離することで、内容物が入った個別の包装袋を切り落とす。この工程を順次行うことで図１〜図３に示す包装袋Ｐが連続的に作成される。なお、図４の例では縦型式自動充填機を使用して内容物を充填する例を示したが、横型式自動充填機を使用して内容物を充填してもよい。
【００１４】
このように内容物が充填された包装袋Ｐは、突出片１の位置から他方の側部までの部分をを本体部分Ｈ、突出片１から一方の側部までの部分を折返し部分Ｃとして、図５に示す手順で再封することができる。すなわち、図５（ａ）に示すように、折返し部分Ｃの袋端部を切り取ることで開口を形成し、図５（ｂ）に示すように、開口を形成した開封状態で内容物を一部だけ取り出した後、図５（ｃ）に示すように、突出片１の根元を基点として折返し部分Ｃを突出片１と反対側に折り返して封止する。
【００１５】
このように、図１の包装袋Ｐを、図６に示す如く、折返し部分Ｃの袋端部を破断除去して開封し、内容物を一部だけ取り出した後、図７に示す如く、突出片１の根元を基点として折返し部分Ｃを突出片１と反対側に折り返して封止すると、突出片１があることにより折返し部分Ｃの戻り（折返し部分Ｃが元に戻ろうとする反発）が抑制され、密閉状態で閉じた状態が維持される。なお、図６の例では、上辺シール部２から下辺シール部３に跨がって開口を形成する例を示したが、折返し部分Ｃの一部を開口するようにしてもよい。
【００１６】
本発明の包装袋Ｐは、上記したような単純なピロー型に限るものではなく、例えば、図８（ａ）に示すように、包装袋Ｐの表面４と裏面５の境界に折れ線αが形成されたものであってもよいし、図８（ｂ）に示すように、包装袋Ｐの表面４と裏面５の境界を折込み式としたガゼットＧを有したものであってもよい。
【００１７】
また、本発明の包装袋Ｐは、図９（ａ）に示すように、表面４の突出片１と対向する位置に、外側から内側に向かって凹む内向きの押し罫ａを形成するか、図９（ｂ）に示すように、表面４の突出片１と対向する位置に、外側から内側に向かう圧迫筋ｂを形成してあってもよい。このような押し罫ａや圧迫筋ｂを設けておくことで、再封するべく突出片１の根元を基点として折返し部分Ｃを折り返しやすくなるのに加え、押し罫ａや圧迫筋ｂの作用により折り返した状態を保持しやすくなる。このような折返し状態を保持させるための押し罫ａや圧迫罫ｂは、包装材として、紙やアルミ箔などのデッドホールド性の高い材質を使用していない場合に特に有効である。
【００１８】
上記で説明したように、本発明の包装袋Ｐは、折返し部分Ｃの袋端部を切り取って開封し、本体部分Ｈに対して折返し部分Ｃを折り返すことで再封するので、基本的には、開封箇所も含めてこのような使用方法を袋に表示しておくことが好ましい。
【００１９】
本発明の包装袋Ｐは、使用時において、折返し部分Ｃの突出片１から側部に向かって１０ｍｍ以内の領域には開口を形成しないことが好ましい。すなわち、図１０に示す突出片１との距離Ｗ11が１０ｍｍ以内の領域に開口を形成すると、突出片１の根元部分に沿って折返し部分Ｃを折り曲げにくくなり、封止性が低下することに繋がる。このため、折返し部分Ｃの図１０に示す幅Ｗ1 は１５ｍｍ以上に設定することが好ましい。
【００２０】
そして、突出片１との距離Ｗ11が１０ｍｍ以内の領域に開口を形成しないようにするため、折返し部分Ｃの突出片１から袋端部に向かって１０ｍｍ以外の領域に、開封箇所を示す指示線を印刷するようにしてもよい。例えば、図１１に示すように、包装袋Ｐの裏面５に、上辺シール部２から下辺シール部３に跨がるとともに突出片１と平行な指示線１５を印刷してもよい。なお、指示線は表面４あるいは裏面５だけでなく、表裏面に表示してもよい。また、折返し部分Ｃの上辺シール部２あるいは／および下辺シール部３に開封を開始する箇所となるノッチ１６を形成してもよい。例えば、図１２に示すように、折返し部分Ｃの突出片１から袋端部に向かって１０ｍｍ以外の領域の上辺シール部２および下辺シール部３にノッチ１６を形成するとともに、包装袋Ｐの裏面５に、一方のノッチ１６から他方のノッチ１６にかけて指示線１５を印刷してもよい。
【００２１】
また、突出片１との距離Ｗ11が１０ｍｍ以内の領域に確実に開口を形成しないようにするため、指示線１５に替えて、点線状のハーフカット線を形成してもよい。なお、ハーフカット線は、少なくとも包装材のシーラント層には形成しないようにする。
【００２２】
また、本発明の包装袋Ｐは、図１０に示す折返し部分Ｃの幅Ｗ1 が袋の幅Ｗの３分の１以下であることが好ましい。何故なら、包装袋Ｐを封止するためには、少なくとも折返し部分Ｃには内容物が収容されていない状態にする必要があるが、一般的に内容物の充填率は６割程度であることから、袋の幅Ｗに対する折返し部分の幅Ｗ1 を３分の１以下に設定することにより、常に内容物を本体部分Ｈに収容することが可能になり、消費者が内容物の取出し量を気にすることなく使用することができるからである。
【００２３】
また、本発明の包装袋Ｐは、消費者が突出片１や上辺シール部２あるいは下辺シール部３を剥がして開けようとしても剥がれないように、これらシール部のシール強度を設定することが好ましい。例えば、これらシール部の剥離強度としては、１５〜７０Ｎ／２５ｍｍ、好ましくは２５〜７０Ｎ／２５ｍｍである。なお、剥離強度は、幅２５ｍｍ、長さ１５０ｍｍにカットした試験片を使用し、「ＪＩＳ  Ｚ０２３７」に準じて、オリエンテック製のテンシロン引張試験機により、３００ｍｍ／ｍｉｎ，１８０度で剥がしたときの剥離強度の平均値とする。剥離強度が１５Ｎ／２５ｍｍ未満では、消費者が手で剥がしやすくなり、７０Ｎ／２５ｍｍ以上では、消費者が突出片１や上辺シール部２あるいは下辺シール部３の端部に触れたときに怪我をしやすくなるため好ましくない。
【００２４】
また、本発明の包装袋Ｐは、消費者が本体部分Ｈから開封することがないようにするため、本体部分Ｈの上辺シール部２あるいは下辺シール部３にはノッチを形成しないようにし、同様に突出片１から開封することがないようにするため、突出片１にもノッチを形成しないようにすることが好ましい。
【００２５】
包装袋Ｐに用いる包装材としては、基材にシーラント層を積層した構成の積層材が挙げられるが、袋に充填される内容物や、充填後の取扱い条件、或いは、水蒸気その他のガスバリヤー性、遮光性、各種の機械的強度など必要とされる性能に応じて、基材とシーラント層の間に、例えば、中間層として、水蒸気その他のガスバリヤー層、遮光層、強度向上層などを積層した構成の積層材を用いることができる。
【００２６】
基材としては、紙、二軸延伸されたポリエチレンテレフタレート（ＰＥＴ）、二軸延伸されたポリプロピレン（ＯＰＰ）、二軸延伸されたナイロン（ＯＮｙ）等が挙げられ、シーラント層としては、低密度ポリエチレン（ＬＤＰＥ）や線状低密度ポリエチレン（ＬＬＤＰＥ）等のポリエチレン（ＰＥ）、ポリプロピレン（ＣＰＰ）等が挙げられる。
【００２７】
その中でも、折返し部分を折り返したときに、折返し部分の反発を抑えることができるようにするため、基材を紙とするか、あるいは、中間層をアルミ箔（ＡＬ）あるいは／および紙とすることが好ましい。アルミ箔の厚みとしては６〜２５μｍとすることが好ましい。アルミ箔の厚みが６μｍより薄いと折返し部分の反発を抑えにくく、２５μｍより厚いと折返し部分を折り曲げたときにアルミ箔にクラックが入りやすくなるため好ましくない。また、紙の坪量としては３０〜６０ｇ／ｍ2 とすることが好ましい。紙の坪量が３０ｇ／ｍ2 未満だと折返し部分の反発を抑えにくく、６０ｇ／ｍ2 より多いと製袋しにくくなるため好ましくない。
【００２８】
このような積層材の具体例として代表的には次の層構成からなる包装材を挙げることができる。下記１）〜３）の各層は接着剤または接着層で貼り合わされる。例えば、接着剤としては、熱硬化型樹脂と硬化剤とからなる２液硬化型接着剤などが挙げられ、接着層としてはポリエチレン（ＰＥ）などが挙げられる。なお、下記１）〜３）の積層材は外面から各層を順次積層した例を示し（  ）内の値は各層の厚みを示す。
【００２９】
１）ＰＥＴ（12μｍ）／ＡＬ（ 7μｍ）／ＬＬＤＰＥ（60μｍ）
２）ＰＥＴ（12μｍ）／紙（30ｇ／ｍ2 ）／ＬＬＤＰＥ（60μｍ）
３）紙（30ｇ／ｍ2 ）／ＣＰＰ（60μｍ）
【実施例１】
【００３０】
お菓子を収納するための包装袋を作成した。ここでは、包装材として層構成が「ＰＥＴ（12μｍ）／ＡＬ（ 7μｍ）／ＬＬＤＰＥ（60μｍ）」からなる積層材を用いて製袋するとともに、開封箇所を示す指示線１５を裏面に印刷して、図１１に示す包装袋Ｐを作成した。なお、包装袋の高さは１８５ｍｍ、幅Ｗは２２５ｍｍ、突出片１から一方の側部までの幅Ｗ1 は３０ｍｍ、突出片１から指示線１５までの距離は１５ｍｍとした。
【００３１】
この包装袋Ｐを指示線１５に沿って開封してお菓子を少量だけ取り出し、開口端より内側にある突出片１の根元を基点として折返し部分Ｃを折り返したところ、折返し部分Ｃは少しは戻りはしたものの、密閉状態で閉じた状態が良好に維持された。
【００３２】
以上、本発明を実施するための形態について詳細に説明してきたが、本発明に係る包装袋は、上記の実施形態に何ら限定されるものではなく、本発明の趣旨を逸脱しない範囲において種々の変更が可能である。
【符号の説明】
【００３３】
Ｐ  包装袋
Ｃ  折返し部分
Ｈ  本体部分
１  突出片
２  上辺シール部
３  下辺シール部
４  表面
５  裏面
１０  巻取ロール
１１  包装材
１２  投入ガイド
１３  センターシーラー
１４  エンドアンドトップシーラー
１５  指示線
１６  ノッチ
α  折れ線
Ｇ  ガセット
ａ  押し罫
ｂ  圧迫筋
【図１】
2014031174.tif 000003
【図２】
2014031174.tif 000004
【図３】
2014031174.tif 000005
【図４】
2014031174.tif 000006
【図５】
2014031174.tif 000007
【図６】
2014031174.tif 000008
【図７】
2014031174.tif 000009
【図８】
2014031174.tif 000010
【図９】
2014031174.tif 000011
【図１０】
2014031174.tif 000012
【図１１】
2014031174.tif 000013
【図１２】
2014031174.tif 000014